(57)【特許請求の範囲】
【請求項１】
その外側縁に、外スリーブの収容穴内に固定するための保持突出部を有する環状ディスクを備えた直線運動用ボールベアリングのためのラジアルシールにおいて、
前記環状ディスク（１）の両側にそれぞれ少なくとも１つの軸線方向に向いた環状突出部（２，３，４）が立設配置され、環状ディスク（１）の両側に配置された環状突出部（２，３，４）が異なる直径を有し、
環状ディスク（１）の内周側端縁（１２）に、シールリップ（１３，１４）が設けられ、
環状ディスク（１）の少なくとも一方の側に、他の環状突出部（４）が設けられ、この突出部が同心的に異なる直径上に配置され、そして軸線方向外側に向いており、
環状ディスク（１）の一方の側に位置する環状突出部（３，４）がベアリングの外スリーブ（９）の内側端面の環状溝（１０）に係合するように形成されていることを特徴とするラジアルシール。
【請求項２】
軸線方向に向いた環状突出部（３、４）に円錐状に互いに離れるように延びる錐形周面（７、８）が形成されていることを特徴とする請求項１に記載のラジアルシール。
【請求項３】
前記環状ディスク（１）は、半径方向外側に形成された環状突出部（２、３）から半径方向外側へ越えて突出する保持突出部（６）を外周に有することを特徴とする請求項１または２項に記載のラジアルシール。
【請求項４】
前記環状ディスク（１）の内周側端縁（１２）の領域に、半径方向に向いた１つまたは複数のシールリップ（１３、１４）が設けられていることを特徴とする請求項１から３のいずれか１項に記載のラジアルシール。
【請求項５】
前記環状ディスク（１）と、軸線方向に向いた環状突出部（２、３、４）とが、弾性材料から一体的に形成されていることを特徴とする請求項１から４のいずれか１項に記載のラジアルシール。
【請求項６】
シールリップ（１３、１４）が環状ディスク（１）に射出成形されていることを特徴とする請求項４に記載のラジアルシール。
【請求項７】
軸線方向に向いた環状突出部（３、４）間の間隙にも弾性材料が充填されていることを特徴とする請求項１から６までのいずれか１項に記載のラジアルシール。
【請求項８】
環状ディスク（１）に軸線方向の開口部または孔が形成されており、シールリップ（１３、１４）を射出成形する際に弾性材料が前記開口部または孔を通して流れることができるようになっていることを特徴とする請求項７に記載のラジアルシール。
【請求項９】
開放型直線動用玉軸受内で使用するために、環状ディスク（１）、軸線方向に向いた環状突出部（２、３、４）およびシールリップ（１３、１４）が円の一部としてのみ形成されていることを特徴とする請求項１から８のいずれか１項に記載のラジアルシール。
【発明の詳細な説明】
【０００１】
【発明の属する技術分野】
本発明は、環状ディスクを有し、その外側の端縁に鍔状に形成され、かつ環状の突出部を有する、収容孔内に固定するための部分が設けられている、特に直線動用、所謂リニアモーション用玉軸受のラジアルシールに関するものである。
【０００２】
【従来の技術】
この種のシールは、たとえば西独特許第２８３０４００号（特公昭６３−４０４４号）の図２で公知になっている。この公知のラジアルシールは、移送の間、そしてまた駆動中も軸受の固定溝から抜け落ちやすいという欠点がある。この欠点は、特に、このシールを開放型直線動用軸受に使用する場合に生じる。開放型直線動用玉軸受は軸受に軸方向に延びる切割り部が形成されており、その切割り部を通して軸の支持部材を挿通することができる。
【０００３】
【発明が解決しようとする課題】
この発明は、開放型直線動用球軸受に使用されても、軸受の固定溝から抜け落ちることがないラジアルシールを提供することを課題としている。
【０００４】
【課題を解決するための手段】
ラジアルシールの完璧な取り付けを保証するために、本発明によれば、環状ディスクの両側にそれぞれ少なくとも１つの軸方向に向いた環状突出部を設けることが提案され、その場合に環状ディスクの両側に配置されたこれら環状突出部が異なる直径を有する。このようにして外径に段階的な取り付け面が形成される。
【０００５】
本発明の他の特徴に基づいて、環状ディスクの少なくとも一方の側に、互いに同心で、直径が異なる軸方向に向いた２つの環状突出部を設けた場合には、これらの環状突出部が直線動用玉軸受の外スリーブの軸方向の各端部の内側端面に形成された環状溝内へ嵌入することができる。これらの突出部にやや円錐状に互いに対して離れるように延びる周面を形成した場合には、これらの周面が押しボタンのように作用して、シールを環状溝内に強固に固定し、シールの抜け落ちを防ぐ。
【０００６】
同じ目的のために、本発明の他の特徴によれば、環状ディスクの外周に、半径方向外側の環状突出部を越えて半径方向外向きに突出する保持突出部を設けるという手段が用いられる。
【０００７】
環状ディスクの内周側端縁に軸に対して接触しないシール（非接触式シール）、または接触するシール（接触式シール）を設けてもよい。非接触式シールは、半径方向のゆとりを持って軸を包囲する、半径方向に向いた環状の突出部によって形成することができ、接触式シールは、ほぼ半径方向に向いた１つまたは複数のシールリップによって形成することができる。
【０００８】
本発明の他の特徴によれば、環状ディスクと軸方向に向けられた突出部とは、弾性のより少ない材料、例えば強化用のガラス繊維を含むか、含まないポリアミドまたはポリプロピレンなどから一体的に形成することができる。シールリップを配置する場合には、このシールリップを弾性のより高い摩擦の少ない材料、たとえばポリウレタンまたは熱可塑性エラストマーから形成することができ、その場合にこれらシールリップは好ましくは射出成形で形成する。特に射出成形の場合には好ましくは、軸方向に向いた内外二重の環状突出部の間の間隙にもこの材料が射出充填される。それによってシール効果が増大し、又、軸受に対する取付け強度も高まる。射出成形される材料のより良好な付着を保証するために、好ましくは環状ディスクに軸方向の開口部または孔を形成し、その開口部または孔に射出される材料が入り込み、あるいはそれを通して広がるようにするとよい。
【０００９】
直線動用玉軸受は軸の周面を包囲する閉鎖型のほかに、いわゆる開放型もある。この開放型の軸受に使用されるラジアルシールの環状ディスク、軸方向に向いた環状突出部、シールリップは完全な環状ではなく、軸方向の切割りによる開放部を備えている。
【００１０】
【発明の実施の形態】
次に、図示の２つの実施形態により本発明を説明する。尚、同一の構成部分には、同じ符号が付してある。
図１（Ａ）と（Ｂ）に示す、一部のみが図示されている第１実施形態においては、ラジアルシールは環状ディスク１を有し、その両側、つまり軸方向に向いた２つの面の一方（外面）には環状突出部２，５、他方（内面）には環状突出部３，４が夫々軸方向に突出している。環状突出部２、３、４、５の直径は夫々異なる。環状ディスク１は外周に沿って保持突出部６を有する。この保持突出部６は環状ディスク１の両面にある環状突出部２，５、３，４の大径の環状突出部２、３を越えて半径方向外向きに突出している。固定側（内面）の環状突出部３の外周と、環状突出部４の内周には、互いにやや円錐状に離れるように延びる錐形周面７と８が設けてある。このラジアルシールを直線動用玉軸受の外スリーブ９の軸方向の各端部の内周に嵌め込むと、環状突出部３と４が錐形周面７，８で外スリーブの端部の内側端面に形成された環状溝１０内へ入り、環状溝１０の外周面と内周面に半径方向の保持力で係合する。尚、保持突出部６は、こうして組み込まれた状態において、外スリーブ９の内周の環状溝１１内に固定される。こうした手段（７，８、６，１１）によってラジアルシールが外スリーブ内に確実に固定される。本来の密封のために、環状ディスク１の内周側端縁１２に軸方向外向きに設けられた環状突出部５が、半径方向のわずかなゆとりをもって軸（図示省略）を包囲することにより非接触式シールを構成し、その軸上で直線動用玉軸受が往復移動する。
【００１１】
図２（Ａ）と（Ｂ）に示す、ここでも一部のみが図示されている第２実施形態も、環状ディスク１は軸方向に向いた固定側の環状突出部３、４と、外周に保持突出部６を有し、それらが外スリーブ９の端面側に形成された環状溝１０や、内周の環状溝１１内へ嵌入する。環状ディスク１の内周側端縁１２に、弾性が高く、摩擦の少ないシール材料からなる２つのシールリップ１３と１４が形成されており、それらが付勢されて軸（図示省略）の外周に摺接する。この実施形態では、第１実施形態の環状ディスク１の外面の内周に軸方向に設けられた環状突出部５を備えていない。その代り、環状ディスクの外面には外周に設けられた環状突出部２の下に、上記シールリップ１３、１４を有する弾性が高く、摩擦の少ない材料からなる部材を固定してある。この部材は環状ディスクの外面に射出成形して固定してもよい。そして、環状ディスク１の内面の環状突出部３と４との間の空間も同じ材料からなる層で充填してある。前者の手段（シールリップ１３，１４）によって外スリーブ９の各端部の内側端面１５と本来のラジアルシールとの間においても確実な密封が保証される。又、内面の環状突出部３と４の間に弾性が高く、摩擦の少ない材料を充填することにより錐形周面７，８が外スリーブの内側端面に設けられた環状溝１０の外周面と内周面に係合する半径方向の保持力が高まり、ラジアルシールをより強固に外スリーブに組立てることができる。図示のラジアルシールは開放型直線動用玉軸受に設けられている。このため軸方向に延びる切割り部１６を有する外スリーブ９の切割り部の両端に、半径方向に向いたストッパレール１７が設けられており、このストッパレール１７，１７の間にラジアルシールが延びている。
【００１２】
【発明の効果】
直線動用軸受の外スリーブの軸方向の各端部に設けられた固定溝に確実に保持されるラジアルシールを提供することができる。
【図面の簡単な説明】
【図１】（Ａ）は閉鎖型直線動用玉軸受の非接触式ラジアルシールの実施形態の一部を示す分解斜視図、（Ｂ）は同上の組立て後の断面図である。
【図２】（Ａ）は開放型直線動用玉軸受の接触式ラジアルシールの実施例の一部の分解斜視図、（Ｂ）は同上の組立て後の断面図である。
【符号の説明】
１  環状ディスク
２  環状突出部
３  環状突出部
４  環状突出部
５  環状突出部
６  保持突出部
７  錐形周面
８  錐形周面
９  外スリーブ
１０  外スリーブの内側端面の環状溝
１１  外スリーブの内周の環状溝
１２  環状ディスクの内周側端縁
１３  シールリップ
１４  シールリップ
１５  外スリーブの内側端面
【図１】
0004142761.tif 000002
【図２】
0004142761.tif 000003